【事件の表示】
　特願２００７−１２１７７１「飲料ディスペンサ用カートリッジ容器の支持具」拒絶査定不服審判事件〔平成２０年１１月１３日出願公開，特開２００８−２７３６０５〕について，次のとおり審決する。
【結　論】
　本件審判の請求は，成り立たない。
【理　由】
１．手続の経緯
　本願は，平成１９年５月２日の出願であって，平成２２年６月１４日付けで拒絶査定がなされ，これに対し，平成２２年７月２０日に拒絶査定不服審判の請求がなされると共に，手続補正書による手続補正（以下，「本件補正」という。）がなされたものである。
　
２．本件補正についての補正の却下の決定
［補正の却下の決定の結論］
　本件補正を却下する。
　
［理由］
（１）補正後の本願の発明
　本件補正により補正された，特許請求の範囲の請求項１に係る発明（以下，「本願補正発明」という。）は，以下のとおりのものと認められる。
「飲料ディスペンサの上面の供給口に排出口を下向きにして接続される可撓性のカートリッジ容器の周囲を支持する壁枠を有し，この壁枠の内側下部に，前記カートリッジ容器の排出口の周囲の肩部を受ける受け部が設けられ，この受け部とカートリッジ容器の排出口の周囲の肩部との間が飲料の重量で密封され，前記壁枠の上端が開放された枠体状に形成された飲料ディスペンサ用カートリッジ容器の支持具において，前記開放された壁枠の上端を覆う蓋を設け，この蓋と前記壁枠の上端との間に，壁枠の内側と外側とを通気する隙間を形成し，前記可撓性のカートリッジ容器の内容積が飲料の流出で小さくなっても，前記枠体状の支持具の内部が負圧にならないようにしたことを特徴とする飲料ディスペンサ用カートリッジ容器の支持具。」
　
　上記補正は，請求項１に記載した発明を特定するために必要な事項である「受け部」について「この受け部とカートリッジ容器の排出口の周囲の肩部との間が飲料の重量で密封され」との限定を付加するものであるので，平成１８年法律第５５号改正附則第３条第１項によりなお従前の例によるとされる同法による改正前の特許法（以下，「改正前の特許法」という。）第１７条の２第４項第２号の特許請求の範囲の減縮を目的とするものに該当する。
　そこで，本願補正発明が，特許出願の際に独立して特許を受けることができるものであるか（改正前の特許法第１７条の２第５項において準用する同法第１２６条第５項の規定に適合するか）について，以下に検討する。
　
（２）引用例
　原査定の拒絶の理由で引用された特開平５−１７８３９８号公報（以下，「引用例」という。）には，図面とともに次の事項が記載されている。
　
・「【０００１】本発明は，ふたによつて閉鎖される少なくとも一つの開口を有する断熱コンテナを備えた，高温または低温液体，とくに飲料をうけ入れかつ分配する装置に関する。飲料とくにコーヒー飲料の断熱用断熱容器はすでに公知である。これらの断熱容器は金属から作られた外壁および，通常ガラスから作られた内壁よりなつている。上方充填開口は同様に断熱されるふたによつて閉鎖される。液体を分配する下方部分に分配弁を設けることができる。そのような断熱容器は比較的長い期間に亘つて高温飲料を貯蔵するのに適しているが，芳香性飲料，とくにコーヒー飲料は短い期間の後芳香を失う欠点があつた。コーヒー飲料には新しく淹れたコーヒーの芳香がない。
【０００２】本発明は芳香性飲料，とくに新しく淹れたコーヒー飲料の貯蔵を，これらの飲料が比較的長い期間の後でさえも芳香をそれ程失わないように，改善することを目的としている。この目的を達成するため，本発明による装置は，断熱コンテナ内に可撓性で平らに押潰しうる材料から作られた袋状ガス密内部コンテナが設けられ，内部コンテナは液体をうけ入れるのに役立ちまた液体を分配する少なくとも一つの管系または連結管を有することを特徴とする。断熱コンテナは元来高温飲料を直接うけ入れるのに適しているが，本発明の発見によれば，ガス密かつ液密の押潰しうるフイルムから作られた断熱コンテナ内の内部コンテナ内に貯蔵することは高温飲料の芳香の保持にいちじるしく有効である。高温飲料は断熱コンテナ内に設置された内部コンテナ内に，好ましくは，断熱コンテナの内部空間が充填された内部コンテナによつて完全に充満するように充填される。内部コンテナもまた，空気を残すことなく完全に充填されなければならない。
【０００３】本発明は高温飲料とくにコーヒー飲料への酸素の供給が好ましくない芳香の喪失を生ずることの発見に基づいている。薄いガス密フイルムから作られた押潰しうる内部コンテナを設けることにより，本発明はコーヒー飲料の一部が分配されたとしても，コンテナ内に残されたコーヒーは，内部コンテナが高温飲料の分配に応じてコンテナ壁を押潰しまたは一緒に押圧するため，空気または酸素の供給からシールされたままになる。空気は断熱コンテナ内の液体水位の低下に従つて断熱コンテナに入るだけである。したがつて，高温飲料の芳香および温度は長期間保持される。本発明によつて教示された装置を使用するとき，（空のそして空気を抜いたすなわち押潰された）内部コンテナはふたが開けられている間に断熱コンテナに挿入される。内部コンテナに取付けられた管系はオリフイスまたは通路を通して外側に延長される。そうでなければ，内部コンテナに取付けられた連結管はふたにまたは断熱コンテナの他の部分に設けられた通路の内側に継手を介して直接連結される。
【０００４】装置は，好ましくは断熱コンテナまたはその一部が飲料に接触しないように構成されている。このため，管は内部コンテナ（当審注：「こんてな」は誤記と認められる。）に取付けられている。この管系は断熱コンテナのオリフイスまたは通路を通つて外側に延びている。一方では内部コンテナに充填するため他方では飲料を分配するのに必要な取付具は，外側に設置された管系の一部または端部に着脱可能に取付けられている。内部コンテナが空になると，それは管系とともに断熱コンテナから除去され，新しいコンテナと交換される。以下，本発明の実施例を図面に基づいて説明する。図示の説明的実施例は新しく淹れた熱いコーヒー飲料を貯蔵しかつ分配するコンテナに関する。各コンテナユニツトは外側コンテナ，とくに断熱コンテナおよびその中に設けられた内部コンテナ１１よりなつている。
【０００５】原理的に，断熱コンテナ１０は通常のように構成されている。無孔の耐久性材料，とくに鋼またはプラスチツク（当審注：「プラスチツ」は誤記と認められる。）から作られた外壁１２内に，好ましくはガラスから作られた断熱挿入体１３が設置されている。断熱挿入体１３の底部は湾曲したまたは球状の断面を有し，平らな下方基部を有する断熱挿入体１３の底片１４に載置している。頂部側において，断熱挿入体１３を含む断熱コンテナ１０は開放され，内部断面全体に亘つて延びるコンテナ開口１５を形成している。ふた１６はこの開口に載置している。このふた１６はまた断熱性に構成され，閉鎖装置により，たとえばねじまたは他の通常の密封閉鎖装置により固定されている。液体または高温飲料は，気密，ガス密もちろん液密のフイルムとくに金属層を備えた積層体よりなる，内部コンテナ１１に充填される。内部コンテナ１１は可撓性で空のとき，内部コンテナ１１の壁は空気を含まないで互いに接触するように，平らに押潰すことができる（図２）。充填されたとき（図１，３および５参照），内部コンテナ１１は完全にすなわち空気を含まないで液体が充満する。図４に示すように，コンテナが部分的にしか充填されないときでさえ，空気は存在しない。
【０００６】内部コンテナ１１は液体を充填しまた分配する少なくとも一つの管状連結具を備えている。図１の説明的実施例において，内部コンテナ１１の比較的短い連結管１７は直接断熱コンテナ１０の壁の，この場合断熱コンテナ１０のふた１６の通路１８に連結されている。このため，連結管１７は継手１９を備え，継手１９は液体通路１８の内側または内側ポートに連結されている。液体通路１８は外側に弁２０を備え，弁２０は一方では液体調製装置，とくにコーヒーメーカーの適当なカウンタ弁に連結され，他方では内部コンテナ１１から一部の液体を分配するのに適するように構成されている。作動ハンドル２１がそのため弁２０に取付けられている。液体が分配されるとき，断熱コンテナ１０全体は　１８０°だけ回転され，弁２０は下に向けられる。空気は液体通路１８の区域の（詳細には図示しない）通路を通つて断熱挿入体１３に出入する。その結果内部コンテナ１１が充満しない断熱挿入体１３の内部自由空間は大気圧以下または負圧にはならない。
【０００７】図２ないし図５に示す説明的実施例は一層有利である。図２ないし図４の実施例において，十分な大きさの管片２２が内部コンテナ１１に連結されている。管片２２は密にまたは着脱可能に内部コンテナ１１に連結することができる。図５は管片２２を内部コンテナ１１の連結片２３に連結する継手を詳細に示している。この連結片はシールプラグまたは機械的負荷を支持する摺動連結である。図２ないし図４の実施例において，管片２２は断熱コンテナ１０の部分または壁に設置された通路２４を通つている。この実施例において，真直ぐな通路２４がふた１６の中央に設けられている。この通路２４の大きさは管片２２が通路から押出されるように決められている。同時に，ふた１６の断熱効果は阻害されない。管片２２の長さは端片がふた１６から外側に十分に突出するように決められている。弁継手２５は管片２２の自由端に取付けられている。この弁継手２５は内側に（図示しない）自動閉鎖装置を備えている。閉鎖装置，とくに逆止弁またはフラツプは，内部コンテナ１１を確実に密閉する。
【０００８】内部コンテナ１１を使用するとき，充填管２６は，充填ステーシヨンたとえばコーヒーメーカーの管片２２の端部に連結されている。連結されるべき端部に，充填管２６は閉鎖装置２７または弁を備えている。充填管２６のまたは閉鎖装置２７のプラグ継手は，管片２２の弁継手２５が連結されるとき，閉鎖装置（逆止弁）は確実に開放され，管片２２の通路が開いたままにされる。閉鎖装置２７が開放されるとき，液体は充填管２６を通つて内部コンテナ１１に，この内部コンテナ１１が完全に充填され断熱挿入体１３の内部空間に完全に充満するまで，導入または給送される。内部コンテナ１１が充填された後充填管２６は管片２２から引出される。弁継手２５の区域における閉鎖装置はふたたび作用して内部コンテナ１１を閉鎖し，内部コンテナ１１は動かされ適当な位置，とくにふた１６が下を向く位置を占める。しかしながら，図示の説明的実施例において，ふた１６はそれが充填される間（図３）も下を向く。内部コンテナ１１内の飲料の一部を分配するとき，排出装置とくにタツプ２８は管片２２または弁継手２５に連結される。この過程において，弁継手２５の閉鎖装置は前記のように開放され，連結はタツプ２８によつて実施される。タツプ２８が作動されると，液体は内部コンテナ１１から排出される。
【０００９】内部コンテナ１１は液体の排出に応じて液体のない区域においてふたたび平らに押潰される（図４）。その結果，自由空間が断熱挿入体１３内の内部コンテナ１１上方に形成される。この空間は空気で充満される。このため，空気管２９はふた１６を通つて外側に通じている。空気管２９は断熱コンテナ１０または断熱挿入体１３内でその頂部区域（断熱挿入体１３の底部）まで延びている。図２ないし図４の装置は，ふた１６が上向きになると，ふた１６は断熱コンテナ１０から除去され，内部コンテナ１１は断熱コンテナ１０内側に設置されるように，処理される。この過程において，内部コンテナ１１の管片２２は通路２４を通されかつ固定される。その後，ふた１６は断熱コンテナ１０上に密封的に載置される。さて，コンテナは　１８０°だけ回転され，下方から液体を充填される。充填された後，コンテナユニツトは一部の飲料を分配するため上記のようにいずれの場所においても使用することができる。コンテナが空にされ，タツプ２８が引出されると，まず，ふた１６は除去されついで空の内部コンテナ１１が廃棄される。この内部コンテナ１１は只一回だけ使用するように設計されているが，適当に洗浄した後，内部コンテナ１１を再使用することもできる。
【００１０】図５の説明的実施例において，内部コンテナ１１に取付けられた管片２２を通すための通路３０は，断熱コンテナ１０の下方区域，この場合底部片１４に設置される。通路３０は湾曲した変形部の下方において断熱コンテナまたは熱挿入体１３の中央からコンテナの側面に延びている。可撓性管片２２はそれによつて変形される。タツプ２８は管片２２に前記のように外側に取付けられる。この説明的実施例において，内部空間に空気を出し入れする空気管３１は細い断面を有する通路の形式のふた１６に設置されている。断熱コンテナ１０が充填されまた空にされるとき，それは通常の位置にすなわち上向きのふたによつて保持される。」
　
・引用例の【図５】には，飲料をうけ入れかつ分配する装置の底部片１４の上面で，この底部片１４に設置される通路３０に通される管片２２の上部に，内部コンテナ１１の連結片２３を下向きにして連結することが示されている。
　
・引用例の【図５】には，段落【０００２】の「高温飲料は断熱コンテナ内に設置された内部コンテナ内に，好ましくは，断熱コンテナの内部空間が充填された内部コンテナによつて完全に充満するように充填される。」との記載を参酌すると，内部コンテナ１１の周囲を，断熱コンテナ１０の断熱挿入体１３により支持することが示されている。
　
・引用例の【図５】には，断熱挿入体１３の底部が，内部コンテナ１１の連結片２３の周囲のコンテナ壁を受けることが示されている。また，引用例の【図５】には，段落【０００３】の「コンテナ内に残されたコーヒーは，内部コンテナが高温飲料の分配に応じてコンテナ壁を押潰しまたは一緒に押圧する」との記載を参酌すると，前記断熱挿入体１３の底部に，内部コンテナ１１の連結片２３の周囲のコンテナ壁がコンテナ内のコーヒー飲料の重量により押圧されることが示されている。
　
・引用例の段落【００１０】の「内部空間に空気を出し入れする空気管３１は細い断面を有する通路の形式のふた１６に設置されている。」との記載，段落【０００３】の「薄いガス密フイルムから作られた押潰しうる内部コンテナを設けることにより，本発明はコーヒー飲料の一部が分配されたとしても，コンテナ内に残されたコーヒーは，内部コンテナが高温飲料の分配に応じてコンテナ壁を押潰しまたは一緒に押圧するため，空気または酸素の供給からシールされたままになる。空気は断熱コンテナ内の液体水位の低下に従つて断熱コンテナに入るだけである。」との記載，及び，【図５】を参酌すると，可撓性の内部コンテナ１１のコーヒー飲料の一部が分配されたとしても，断熱コンテナ１０の内部空間に空気を出し入れする空気管３１により，空気は断熱コンテナ内の液体水位の低下に従つて断熱コンテナ１０に入ることが可能となることは，当業者にとって自明のことといえる。
　
　これらの記載事項及び図示内容を総合すると引用例には，次の発明（以下，「引用発明」という。）が記載されていると認められる。
「飲料をうけ入れかつ分配する装置の底部片１４の上面で，この底部片１４に設置される通路３０に通される管片２２の上部に連結片２３を下向きにして連結される可撓性の内部コンテナ１１の周囲を支持する断熱挿入体１３が外壁１２内に設置された断熱コンテナ１０を有し，この断熱コンテナ１０の断熱挿入体１３の底部が，前記内部コンテナ１１の連結片２３の周囲のコンテナ壁を受ける湾曲または球状の断面を有するように形成され，この湾曲または球状の断面の底部に内部コンテナ１１の連結片２３の周囲のコンテナ壁がコンテナ内のコーヒー飲料の重量により押圧され，前記断熱コンテナ１０の頂部側が開放された飲料をうけ入れかつ分配する装置の断熱コンテナ１０において，前記開放された断熱コンテナ１０の頂部側に載置されるふた１６を設け，このふた１６に，断熱コンテナ１０の内部空間に空気を出し入れする空気管３１を設置し，前記可撓性の内部コンテナ１１のコーヒー飲料の一部が分配されたとしても，前記空気管３１により，空気は断熱コンテナ内の液体水位の低下に従つて断熱コンテナ１０に入るようにした飲料をうけ入れかつ分配する装置の断熱コンテナ１０。」
　
（３）対比
　そこで，本願補正発明と引用発明とを対比すると，後者の「飲料をうけ入れかつ分配する装置の底部片１４」，「管片２２の上部」，「連結片２３」，「連結される」態様，「内部コンテナ１１」は，前者の「飲料ディスペンサ」，「供給口」，「排出口」，「接続される」態様，「カートリッジ容器」にそれぞれ相当し，後者の「断熱挿入体１３が外壁１２内に設置された断熱コンテナ１０」及び「断熱コンテナ１０」と前者の「壁枠」とは，「壁部」との概念で共通する。
　後者の「連結片２３の周囲のコンテナ壁」は前者の「排出口の周囲の肩部」に相当し，後者の「底部」は，「連結片２３の周囲のコンテナ壁を受ける」ものであるから，実質的に前者の「受け部」に相当する。そして，後者の「断熱コンテナ１０の断熱挿入体１３の底部が，内部コンテナ１１の連結片２３の周囲のコンテナ壁を受ける湾曲または球状の断面を有するように形成され」る態様と，前者の「壁枠の内側下部に，カートリッジ容器の排出口の周囲の肩部を受ける受け部が設けられ」る態様とは，「壁部の内側下部に，カートリッジ容器の排出口の周囲の肩部を受ける受け部が設けられ」るとの概念で共通する。
　後者の「コーヒー飲料」は，前者の「飲料」に相当し，後者の「湾曲または球状の断面の底部に内部コンテナ１１の連結片２３の周囲のコンテナ壁がコンテナ内のコーヒー飲料の重量により押圧され」る態様と，前者の「受け部とカートリッジ容器の排出口の周囲の肩部との間が飲料の重量で密封され」る態様とは，「受け部とカートリッジ容器の排出口の周囲の肩部との間が飲料の重量で押圧され」るとの概念で共通する。
　後者の「頂部側」，「飲料をうけ入れかつ分配する装置の断熱コンテナ１０」，「頂部側に載置される」態様，「ふた１６」は，前者の「上端」，「飲料ディスペンサ用カートリッジ容器の支持具」，「上端を覆う」態様，「蓋」にそれぞれ相当する。
　後者の「内部空間に空気を出し入れする」態様は，前者の「内側と外側とを通気する」態様に相当し，後者の「ふた１６に，断熱コンテナ１０の内部空間に空気を出し入れする空気管３１を設置」する態様と，後者の「蓋と壁枠の上端との間に，壁枠の内側と外側とを通気する隙間を形成」する態様とは，「蓋部分に壁部の内側と外側とを通気する所定の通気手段を形成」するとの概念で共通する。
　後者の「内部コンテナ１１」において「コーヒー飲料の一部が分配された」とき，「内部コンテナ１１」の内容積が小さくなることは，引用例の段落【０００９】の「内部コンテナ１１は液体の排出に応じて液体のない区域においてふたたび平らに押潰される（図４）。」との記載からみて，当業者にとって自明であり，後者の「内部コンテナ１１のコーヒー飲料の一部が分配された」態様は前者の「カートリッジ容器の内容積が飲料の流出で小さくなっ」た態様に相当する。
　後者の「断熱コンテナ１０の内部空間に空気を出し入れする」「空気管３１により，空気は断熱コンテナ内の液体水位の低下に従つて断熱コンテナ１０に入るようにした」という作用において，「断熱コンテナ」の内部が負圧にならないことは，当業者にとって自明のことであり，後者の「空気管３１により，空気は断熱コンテナ内の液体水位の低下に従つて断熱コンテナ１０に入るようにした」態様と，前者の「枠体状の支持具の内部が負圧にならないようにした」態様とは，「支持具の内部が負圧にならないようにした」との概念で共通する。
　
　したがって両者は，
「飲料ディスペンサの上面の供給口に排出口を下向きにして接続される可撓性のカートリッジ容器の周囲を支持する壁部を有し，この壁部の内側下部に，前記カートリッジ容器の排出口の周囲の肩部を受ける受け部が設けられ，この受け部とカートリッジ容器の排出口の周囲の肩部との間が飲料の重量で押圧され，前記壁部の上端が開放された飲料ディスペンサ用カートリッジ容器の支持具において，前記開放された壁部の上端を覆う蓋を設け，この蓋部分に壁部の内側と外側とを通気する所定の通気手段を形成し，前記可撓性のカートリッジ容器の内容積が飲料の流出で小さくなっても，前記支持具の内部が負圧にならないようにした飲料ディスペンサ用カートリッジ容器の支持具。」
の点で一致し，以下の各点で相違している。
　
［相違点１］
　本願補正発明は，支持具が，「壁枠」を有する「枠体状」のものであるのに対し，引用発明は，そのような構成とされていない点。
［相違点２］
　本願補正発明は，受け部とカートリッジ容器の排出口の周囲の肩部との間が飲料の重量で「密封」されるのに対し，引用発明は，かかる特定がなされていない点。
［相違点３］
　本願補正発明は，蓋部分において壁部の内側と外側とを通気するために，「蓋と壁枠の上端との間に，壁枠の内側と外側とを通気する隙間を形成」しているのに対し，引用発明は，蓋に「空気管を設置」している点。
　
（４）判断
　上記相違点について，以下に検討する。
　
・相違点１について
　一般に，充填した液体を排出可能な可撓性の容器の周囲を支持する支持具は，当該容器を安定して支持するという機能を有するものということができ，このような支持具として，壁枠を有する枠体状のものは，例えば，原査定の拒絶の理由で引用された特開２００６−１３１２７７号公報（特に，段落【００１４】を参照。）にも記載されているように，本願の出願前において周知技術である。
　そして，引用発明において，可撓性のカートリッジ容器の周囲を支持する「断熱コンテナ」の構造として上記周知技術を適用することは，当業者が任意になし得る事項であり，格別の技術的困難性が伴うものとも認められない。
　そうすると，引用発明において上記周知技術を適用することにより，上記相違点１に係る本願補正発明の構成とすることは，当業者が容易に想到することができたものである。
　
・相違点２について
　本願補正発明の「受け部」に関し，「この受け部とカートリッジ容器の排出口の周囲の肩部との間が飲料の重量で密封され」るという構成は，本願の明細書の【発明を実施するための最良の形態】には，何ら記載されていない。しかし，明細書の段落【０００５】には，本願において背景技術として提示され原査定の拒絶の理由でも引用された特開２００６−１３１２７７号公報の図４に示された，カートリッジ容器の排出口の周囲の肩部を受けるという構成を有する「受け部」が，「受け部とカートリッジ容器の肩部との間も飲料の重量で密封される」という作用効果を奏することが記載されている。そして，本願補正発明の「受け部」は，上記背景技術の「受け部」と同様の構成を有するものであるから，同様の作用効果を奏するものということもできる。
　一方，引用発明の「底部」は，内部コンテナの連結片の周囲のコンテナ壁を受ける湾曲または球状の断面を有するように形成されたものであり，上記背景技術の「受け部」の，カートリッジ容器の排出口の周囲の肩部を受けるという構成と同様の構成を有するものである。したがって，引用発明の「底部」は，この「底部」に内部コンテナの連結片の周囲のコンテナ壁がコンテナ内のコーヒー飲料の重量で押圧されることにより，上記背景技術と同様に，底部と内部コンテナの連結片の周囲のコンテナ壁との間が密封されるという作用効果を奏するものということができる。
　そうすると，上記相違点２は，実質的な相違点とはいえない。
　
　なお，仮に，引用発明の「底部」が，底部と内部コンテナの連結片の周囲のコンテナ壁との間が密封されるという作用効果を奏するものでないとしても，飲料ディスペンサにおいて内部に埃が侵入しないようにすることは周知の課題であり，引用発明の「底部」において，上記課題の下に，原査定の拒絶の理由で引用された特開２００６−１３１２７７号公報に記載された，カートリッジ容器の排出口の周囲の肩部を受けるという構成を有する「受け部」の構成を適用することは，当業者が容易になし得る事項であり，格別の技術的困難性が伴うものとも認められない。
　
・相違点３について
　上端を蓋で覆った容器において，この容器の壁部の内側と外側とを通気するために，蓋と壁部の上端との間に隙間を形成することは，例えば，原査定の拒絶の理由で引用された特開２００７−９１３０９号公報（特に，「通気用切欠部１５，２５」，【図１】−【図３】，【図５】を参照。），同じく登録実用新案第３１２８３２２号公報（特に，「通気孔３４」，【図５】を参照。），同じく実願平３−９３４３０号（実開平５−４４８５０号）のＣＤ−ＲＯＭ（特に，「通気用空隙２８」，【図２】を参照。）にも記載されているように，本願の出願前において周知技術である。
　そして，引用発明において，壁部の内側と外側とを通気するために，蓋に「空気管を設置」する構成に換えて上記周知技術を適用することは，当業者が任意になし得る事項であり，格別の技術的困難性が伴うものとも認められない。
　そうすると，引用発明において上記周知技術を適用することにより，上記相違点３に係る本願補正発明の構成とすることは，当業者が容易に想到することができたものである。
　
　そして，本願補正発明の全体構成により奏される作用効果も，引用発明及び上記各周知技術から当業者が予測し得る範囲内のものである。
　したがって，本願補正発明は，引用発明及び上記各周知技術に基づいて，当業者が容易に発明をすることができたものであるから，特許法第２９条第２項の規定により，特許出願の際独立して特許を受けることができないものである。
　
（５）むすび
　以上のとおりであって，本件補正は，改正前の特許法第１７条の２第５項において準用する同法第１２６条第５項の規定に違反するものであるから，同法第１５９条第１項の規定において読み替えて準用する同法第５３条第１項の規定により却下を免れない。
　
３．本願の発明について
　本件補正は上記のとおり却下されたので，本願の請求項１に係る発明（以下，「本願発明」という。）は，平成２２年５月１１日付け手続補正書によれば，以下のとおりのものと認められる。
「飲料ディスペンサの上面の供給口に排出口を下向きにして接続される可撓性のカートリッジ容器の周囲を支持する壁枠を有し，この壁枠の内側下部に，前記カートリッジ容器の排出口の周囲の肩部を受ける受け部が設けられ，前記壁枠の上端が開放された枠体状に形成された飲料ディスペンサ用カートリッジ容器の支持具において，前記開放された壁枠の上端を覆う蓋を設け，この蓋と前記壁枠の上端との間に，壁枠の内側と外側とを通気する隙間を形成し，前記可撓性のカートリッジ容器の内容積が飲料の流出で小さくなっても，前記枠体状の支持具の内部が負圧にならないようにしたことを特徴とする飲料ディスペンサ用カートリッジ容器の支持具。」
　
（１）引用例
　原査定の拒絶の理由に引用された引用例，及びその記載事項は，上記２．（２）に記載したとおりである。
　
（２）対比・判断
　本願発明は，上記２．（１）で検討した本願補正発明から「受け部」について「この受け部とカートリッジ容器の排出口の周囲の肩部との間が飲料の重量で密封され」という限定を省いたものである。
　そうすると，本願発明を特定する事項の全てを含み，さらに他の構成要件を付加したものに相当する本願補正発明が，上記２．（３）及び２．（４）に記載したとおり，引用発明及び上記各周知技術に基づいて当業者が容易に発明をすることができたものであるから，本願発明も，相違点２についての検討が不要となる他は，同様の理由により，引用発明及び上記各周知技術に基づいて当業者が容易に発明をすることができたものである。
　
（３）むすび
　以上のとおりであるから，本願発明は，特許法第２９条第２項の規定により，特許を受けることができない。
　よって，結論のとおり審決する。